(57)【要約】【課題】情報入力が簡単にできて安価に構築することができる在庫管理システムの提供。【解決手段】冷蔵庫と無線モジュールと無線モジュールと通信するサーバ装置とで構成され、無線モジュールは、無線通信部と、電源部と、食品の収納期間の開始時期を特定する期間特定釦と、無線モジュールの食品属性を示す属性特定部と、を備え、サーバ装置は、期間特定釦が押された場合は、無線モジュールの属性特定部と期間特定釦により特定される入庫日情報とから、冷蔵庫に収納されている食品の在庫管理を行う構成としてある。これにより、無線モジュールを食品に付して冷蔵庫に収納し、期間特定ボタンを押すだけで、その食品属性と食品入庫時期情報をサーバに送信して入力でき、また、使用者は食品属性を備えた数個の無線モジュールを準備するだけで複雑な装置や設備付きの冷蔵庫を導入することなく、簡易な構成で在庫管理システムを構築できる。【選択図】図７
2015069301.tif 000002
【特許請求の範囲】
【請求項１】
冷蔵庫と、食品に付する無線モジュールと、前記無線モジュールと通信するサーバとで構成し、前記無線モジュールは、無線通信部と、前記無線通信部に電源を供給する電源部と、食品の収納期間の開始時期を特定する期間特定釦と、無線モジュールの食品属性を示す属性特定部と、を備え、前記サーバは、前記期間特定釦が押された場合は、前記無線モジュールの前記属性特定部と前記期間特定釦により特定される収納期間情報とから、前記冷蔵庫に収納されている食品の在庫管理を行うことを特徴とする在庫管理システム。
【請求項２】
無線モジュールとサーバとの間の通信を中継する無線中継部をさらに備えたことを特徴とする請求項１記載の在庫管理システム。
【請求項３】
無線モジュールは、さらに食品状態を報知する報知部を備え、サーバにより、冷蔵庫に収納される複数の食品において食品属性が重複したと認識された場合には、前記報知部は収納期間に基づいて報知内容を変更することを特徴とする請求項１または２に記載の在庫管理システム。
【請求項４】
報知部は、ＬＥＤにより構成され、異なる波長、異なる点灯にて報知することを特徴とする請求項３に記載の在庫管理システム。
【発明の詳細な説明】
【技術分野】
【０００１】
本発明は、冷蔵庫内の食品の在庫状況を管理する在庫管理システムに関する。
【背景技術】
【０００２】
一般にこの種の冷蔵庫の在庫管理システムは数多くのものが提案されている。例えば、特許文献１に記載されている冷蔵庫の在庫管理システムは、キーボード等の操作入力部、あるいは物品のバーコードデータを読み取るバーコードリーダ、あるいは音声認識を行うためのマイクを備えていて、これらのいずれかによって物品の賞味期限等の保存期間データを入力している。そしてこの冷蔵庫に保持されている管理情報は、ネットワークを通じて携帯電話等の端末装置で随時閲覧が可能となっている。
【０００３】
また、特許文献２に記載されている冷蔵庫の在庫管理システムは、食品の入出庫量、滞留期間及び品質状態を観測する観測手段としてカメラを用い、このカメラで食品に表示された文字及び／又は符号から加工日、購入日、品目及び賞味期限の何れかの情報を読み取り、その保存期限を管理するようになっている。
【先行技術文献】
【特許文献】
【０００４】
【特許文献１】特開２００３−４３６８号公報
【特許文献２】特開２００３−３０４２１号公報
【発明の概要】
【発明が解決しようとする課題】
【０００５】
しかしながら、上記従来の在庫管理システムは食品情報を入力するためにカメラやバーコードリーダ或いは音声入力装置等が必要としてその構造が複雑で高価なものになる上に、カメラや音声入力装置で食品情報を入力するような場合には映りが悪かったり音声誤認識等によって何度も食品特定作業を強いられたりし、また、バーコードリーダ方式で入力する場合でも何度もバーコードを読み取らせなければならないことが生じ、食品情報入力が面倒で使い勝手が悪く、実用化されるには至らなかった。
【０００６】
本発明はこのような点に鑑みてなしたもので、食品情報入力が簡単にできて安価に構築することができる在庫管理システムの提供を目的としたものである。
【課題を解決するための手段】
【０００７】
本発明は上記目的を達成するため、冷蔵庫と、食品に付する無線モジュールと、前記無線モジュールと通信するサーバとで構成し、前記無線モジュールは、無線通信部と、前記無線通信部に電源を供給する電源部と、食品の収納期間の開始時期を特定する期間特定釦と、無線モジュールの食品属性を示す属性特定部と、を備え、前記サーバは、前記期間特定釦が押された場合は、前記無線モジュールの前記属性特定部と前記期間特定釦により特定される収納期間情報とから、前記冷蔵庫に収納されている食品の在庫管理を行う構成としてある。
【０００８】
これにより、無線モジュールが例えば肉、魚、野菜、牛乳等の食品属性を備えているから、この無線モジュールを食品に付して冷蔵庫に収納し、期間特定ボタンを押せば、その食品属性と食品入庫時期情報がサーバに送信され、サーバが在庫管理可能となり、使用者は食品属性を備えた数個の無線モジュールを準備するだけで複雑な装置や設備付きの冷蔵庫を導入することなく、簡易な構成で在庫管理システムを構築できるとともに、食品情報
の入力は無線モジュールを食品に付して期間特定釦を押すだけの簡単な操作だけでよく、しかも食品属性の誤入力もなく食品に無線モジュールを付すという１回の操作だけでよくなって、使い勝手の良いものとなる。
【発明の効果】
【０００９】
本発明は、食品属性を付した複数の無線モジュールを準備すればよいので安価に在庫管理システムを構築できるとともに、食品属性等の食品情報の入力も簡単かつ間違いなく行うことができるので、使い勝手の良い在庫管理システムとすることができる。
【図面の簡単な説明】
【００１０】
【図１】本発明の実施の形態１における在庫管理システムに使用する冷蔵庫の正面図
【図２】同冷蔵庫の概略断面図
【図３】同冷蔵庫を用いた在庫管理システムの全体構成を示す説明図
【図４】同在庫管理システムの無線モジュール構成を追記したシステム構成図
【図５】同在庫管理システムのサーバ装置構成を示すブロック図
【図６】同在庫管理システムの動作を示すフローチャート
【図７】同実施の形態２における在庫管理システムの無線モジュール構成を追記したシステム構成図
【図８】同実施の形態３における在庫管理システムの無線モジュール構成を追記したシステム構成図
【発明を実施するための形態】
【００１１】
以下、本発明の具体的かつ詳細な実施の形態を説明するが、まず本発明の実施の形態の要点を記載する。
【００１２】
本発明における実施の形態の在庫管理システムは、冷蔵庫と、食品に付する無線モジュールと、前記無線モジュールと通信するサーバとで構成し、前記無線モジュールは、無線通信部と、前記無線通信部に電源を供給する電源部と、食品の収納期間の開始時期を特定する期間特定釦と、無線モジュールの食品属性を示す属性特定部と、を備え、前記サーバは、前記期間特定釦が押された場合は、前記無線モジュールの前記属性特定部と前記期間特定釦により特定される収納期間情報とから、前記冷蔵庫に収納されている食品の在庫管理を行う構成としてある。
【００１３】
これにより、無線モジュールが例えば肉、魚、野菜、牛乳等の食品属性を備えているから、この無線モジュールを食品に付して冷蔵庫に収納し、期間特定ボタンを押せば、その食品属性と食品入庫時期情報がサーバに送信され、サーバが在庫管理可能となり、使用者は食品属性を備えた数個の無線モジュールを準備するだけで複雑な装置や設備の冷蔵庫を導入することなく、簡易な構成で在庫管理システムを構築できるとともに、食品情報の入力は無線モジュールを食品に付して期間特定釦を押すだけの簡単な操作だけでよく、しかも食品属性の誤入力もなく食品に無線モジュールを付すという１回の操作だけでよくなって、使い勝手の良いものとなる。しかも在庫管理の対象も、使用者が在庫管理したい食品のみに無線モジュールを付して管理することができ、使い勝手が向上する。
【００１４】
また、上記システムは無線モジュールとサーバとの間の通信を中継する無線中継部をさらに備えた構成としてある。
【００１５】
これにより、無線モジュールが食品とともに冷蔵庫の収納室内に収められていても当該無線モジュールとサーバとの間の通信は無線中継部を介して確実に行うことができ、信頼性が向上する。
【００１６】
また、上記無線モジュールは、さらに食品状態を報知する報知部を備え、サーバにより、冷蔵庫に収納される複数の食品において食品属性が重複したと認識された場合には、前記報知部は収納期間に基づいて報知内容を変更する構成としてある。
【００１７】
これにより、使用者は食品属性が重複した食品、例えば肉を重複して入庫すると、この重複入庫をサーバが認識し報知部の報知内容が異なる形で表示されるので、重複入庫を確実に知ることができるとともに、既に重複食品が収納されていればどちらの方を早く使った方がよいのかも一目瞭然で分かり、使い勝手が一段と向上する。
【００１８】
さらに、上記報知部は、ＬＥＤにより構成され、異なる波長、異なる点灯にて報知する構成としてあり、これにより使用者は冷蔵庫の収納室奥の暗い部分に収納されている重複食品があっても例えばＬＥＤの発光色の違いにより、その新旧在庫状態が一目でわかり、さらに使い勝手の良いものとなる。
【００１９】
以下、本発明の実施の形態について、フレンチドアタイプの冷蔵庫に適用した場合を例にしてその図面を用い説明する。尚、本発明は以下の実施の形態に限定されるものではない。
【００２０】
（実施の形態１）
図１、図２において、冷蔵庫本体１は、前方に開口する金属製（例えば鉄板）の外箱２と、硬質樹脂製（例えばＡＢＳ）の内箱３と、これら外箱２と内箱３との間に発泡充填した硬質発泡ウレタン等の断熱材４からなる。また上記断熱材４中には芯材をアルミシート等の金属製フィルムからなる外被材で密封して構成した真空断熱材４ａが埋設されていてその断熱性を高めている。
【００２１】
上記冷蔵庫本体１はその内部に複数の収納室を仕切形成してある。この収納室は、冷蔵庫本体１の上部から、冷蔵室５、冷蔵室５の下に位置する切替室６及び切替室６に並設した製氷室７、切替室６及び製氷室７の下部に位置する冷凍室８と、冷凍室８の下部に位置する野菜室９となっている。また、前記冷蔵室５の前面は、観音開き式の扉１０により開閉自由に閉塞し、切替室６及び製氷室７と冷凍室８と野菜室９の前面部は引き出し式の扉１１，１２，１３，１４（以下、引き出し式扉と称す）によって開閉自由に閉塞してある。
【００２２】
なお、上記各扉１０〜１４は冷蔵庫本体１と同様硬質発泡ウレタンを充填し真空断熱材４ａを埋設して断熱性を持たせてある。また、食品の出し入れの際に行う扉の開閉を検出する扉開閉検出部１５を備えている。
【００２３】
冷蔵庫本体１の背面には冷却室１６があり、冷気を生成する冷却器１７と、冷気を各室に供給する送風ファン１８と、冷蔵室への風量を調整するためのダンパ（図示せず）とが設けてある。また、上記冷蔵庫本体１の本体天面奥部にはコンプレッサ１９が設けてあり、コンデンサ（図示せず）と、放熱用の放熱パイプ２０と、キャピラリーチューブ２１と、前記した冷却器１７とを順次環状に接続してなる冷凍サイクルに冷媒を封入し、冷却運転を行うように構成してある。
【００２４】
次に上記の冷蔵庫を用いて構築した在庫管理システム全体について図３〜図５を用いて説明する。
【００２５】
図３は上記の冷蔵庫を用いた在庫管理システム３０の全体構成を示す。図３に示すように、この在庫管理システム３０は、冷蔵庫２２と、冷蔵庫２２内の食品に付する無線モジュール３１と、無線通信用のルータ装置３３とインターネット等の公衆通信網３４と、サ
ーバ装置３５ならびに表示端末３６を含む。
【００２６】
無線モジュール３１は、図４に示す様にインターネット等の公衆通信網３４につながるサーバ装置３５と直接あるいはルータ装置３３を介してＷＩ−ＦＩ無線等で通信する無線通信部３７と、前記無線通信部３７に電源を供給する電源部３８とを有する。
【００２７】
さらにこの無線モジュール３１は食品の収納期間の開始及び終了時期を特定する期間特定釦３９と、無線モジュール３１自体の食品属性を示す属性特定部４０及びＬＥＤ等からなる報知部４１とを備えている。
【００２８】
すなわち、この無線モジュール３１はそれ自体が食品属性、例えば肉、魚、野菜、牛乳等の食品属性を有しており、これを例えば上記肉、魚、野菜、牛乳等に付して当該食品を冷蔵庫に収納する形で使用する。したがって、上記無線モジュール３１は食品に付しやすい形態、例えばクリップ等の形態に形成し、その食品属性が一目でわかるように例えば上記肉、魚、野菜、牛乳等のイラストが付してある。
【００２９】
そして、この無線モジュール３１は期間特定釦３９を押すことによって無線通信部３７を介し期間特定釦３９を押した日、すなわち冷蔵庫に食品を収納した入庫日とともに、前記食品属性を送信し、期間特定釦３９を再び押すことによって当該食品が消費されるなどして在庫管理の対象から外すとの情報を送信するようになっている。
【００３０】
また、この無線モジュール３１はその無線通信部３７を介して無線モジュール３１自身の識別情報（例えば、製造番号や型番等）をサーバ装置３５に送信するように構成されている。
【００３１】
表示端末３６は、例えば、スマートフォン、タブレットＰＣ（パーソナルコンピュータ）などの汎用の携帯型の端末であって、インターネット等の公衆通信網３４に接続する機能（手段）と、ルータ装置３３と通信する機能（手段）とを備える。
【００３２】
表示端末３６は電話回線網（例えば３Ｇ回線網）を介して、インターネット等の公衆通信網３４に接続するように構成されている。
【００３３】
表示端末３６はまた、例えば、Ｗｉ−Ｆｉ通信などの無線通信によって前記ルータ装置３３と接続し、インターネット等の公衆通信網３４を介することなく無線モジュール３１と通信できるように構成されている。そのためのデバイス（例えばＷｉ−Ｆｉアンテナ等）が表示端末３６に組み込まれている。
【００３４】
すなわち、このシステムでは、表示端末３６に対して、インターネット等の公衆通信網３４を介さない通信（すなわちルータ装置３３のみを介する第１の通信）と、インターネット等の公衆通信網３４を介する通信（すなわちインターネット等の公衆通信網３４およびルータ装置３３を介する第２の通信）とが実行できるように構成されている。このように構成する理由は、使用者が家屋内に居て、なおかつインターネット等の公衆通信網３４が混雑しているときには第１の通信を利用してスピーディに通信できるようにするためである。
【００３５】
表示端末３６は、インターネット等の公衆通信網３４に接続することにより、前記無線モジュール３１からの食品属性と期日情報を、インターネット等の公衆通信網３４を介して冷蔵庫２２の製造メーカのホームページから取得することができる。この取得したプログラムを表示端末３６にインストールし、インストールしたプログラムを起動させることにより、表示端末３６は、冷蔵庫内の食品の食品属性と入庫日情報等を取得することが可
能になる。即ち、表示端末３６はそのディスプレイ３６ａの操作画面を操作することにより、冷蔵庫内の食品の食品属性と入庫日情報等を取得するための指示信号を生成し、送信することが可能になる。
【００３６】
サーバ装置３５は、例えば、冷蔵庫２２の製造メーカにより用意される。サーバ装置３５は、表示端末３６、無線モジュール３１に関し、アクセスや認証に必要な情報等を管理する。例えば、サーバ装置３５は、通信要求信号に含まれる表示端末３６の識別情報と、無線モジュール３１（の無線通信部３７）に対応付けされて記憶（登録）されている表示端末３６の識別情報とが一致するか否かを認証（判別）する。そして、サーバ装置３５は、これらが一致する場合には、アクセスする表示端末３６を、正規の表示端末として認証し、住居Ａ内の冷蔵庫２２に設けられた無線モジュール３１の通信を許可する。
【００３７】
また、サーバ装置３５は、前記した無線モジュール３１から送信される冷蔵庫内の食品属性と入庫日情報を保存する。この情報は表示端末３６からの情報呼び出し信号に基づき表示端末３６に送信する。すなわち、使用者は表示端末３６を操作することによって冷蔵庫内の食品の食品属性と入庫日をディスプレイ３６ａに表示させて確認することができる。
【００３８】
図５はサーバ装置３５の構成を示し、サーバ用インターフェイス４４、サーバ制御部４５、及びデータ記憶部４６を備える。
【００３９】
サーバ用インターフェイス４４は、サーバ制御部４５の制御に従い、インターネット等の公衆通信網３４を介した表示端末３６及びルータ装置３３とサーバ装置３５との間のデータ等のやり取りを行う通信部である。
【００４０】
サーバ制御部４５は、このサーバ装置３５の全体の動作を制御する。サーバ制御部４５は、また前記したように無線モジュール３１から送信される食品属性と入庫日情報をデータ記憶部４６に記憶させるとともに、表示端末３６から食品属性と入庫日情報の信要求の信号があると、データ記憶部４６に記憶している食品属性と入庫日情報の最新情報を表示端末３６に送信する。
【００４１】
データ記憶部４６は、在庫管理システムを実行するための管理プログラムやアプリケーションプログラム等の必要なデータを記憶している。更にデータ記憶部４６は、サーバ制御部４５の制御に従い、無線モジュール３１から送信されてくる食品属性と入庫日情報を書き換え記憶する。データ記憶部４６は、例えば、ＨＤＤ（Ｈａｒｄ  Ｄｉｓｃ  Ｄｒｉｖｅ）やＳＳＤ（Ｓｏｌｉｄ  Ｓｔａｔｅ  Ｄｒｉｖｅ）等により構成される。
【００４２】
なお、サーバ装置３５は単一の大型コンピュータで構成されるサーバ、或いは、多数のコンピュータ群で構成されるクラウド型サーバのいずれでも構築できるものである。
【００４３】
次に上記構成からなる在庫管理システムの動作について説明する。
【００４４】
使用者は、食品を冷蔵庫２２に収納するに際し、まず食品に無線モジュール３１を取り付ける。例えば、食品が肉であれば肉の食品属性を持った無線モジュール３１を取り付け、牛乳であれば牛乳の食品属性を持った無線モジュール３１を取り付ける。この実施の形態では無線モジュール３１には食品属性を示すイラストが付してあり、子供等でも間違うことなく該当食品に取り付けることができる。そして、この無線モジュール３１はクリップ形態としてあるから、食品への取り付けも簡単に行うことができる。
【００４５】
次に無線モジュール３１を取り付けた食品は当該無線モジュール３１に設けてある期間
特定釦３９を押して冷蔵庫２２内に収納する。これにより、食品属性と入庫日情報が無線モジュール３１の無線通信部３７からＷＩ−ＦＩ無線にてルータ装置３３、インターネット等の公衆通信網３４を介してサーバ装置３５に送信する。すなわち、使用者は無線モジュール３１を食品に付して期間特定釦３９を押すだけの簡単な操作で食品属性と入庫日の食品情報を入力することができる。そして、食品に無線モジュール３１を取り付けるだけのことであるから、食品属性の誤入力もなく、しかも在庫管理の必要な食品のみに無線モジュール３１を取り付ければよく、使用者の好みに応じて自由に使い分けできる。
【００４６】
一方、サーバ装置３５は前記無線モジュール３１からの食品属性と入庫日情報を受信するとこれをデータ記憶部４６に記憶させサーバ制御部４５が在庫管理を行う。
【００４７】
以下、その在庫管理の動作を図６のフローチャートを用いて説明する。
【００４８】
前記無線モジュール３１の期間特定釦３９がオンされると（ステップ１−Ｙ）、無線モジュール３１の無線通信部３７から食品属性と入庫日情報が送信され（ステップ２）、ルータ装置３３、インターネット等の公衆通信網３４を介してサーバ装置３５が上記食品属性と入庫日情報をそのデータ記憶部４６に記憶させる（ステップ３）。
【００４９】
次にサーバ装置３５はサーバ制御部４５によって保存期間のカウントを開始し（ステップ４）、前記期間特定釦３９オンにより送信されてきた食品の食品属性が既に入庫されている食品の食品属性と重複していないか否かを確認する（ステップ５）。
【００５０】
重複していれば（ステップ５−Ｙ）、重複食材の保存期間の長短を特定し（ステップ６）、データ記憶部４６に記憶する（ステップ７）。そして、サーバ装置３５は無線モジュール３１に保存期間の長短に応じた報知信号を送信し（ステップ８）、これを無線モジュール３１の無線通信部３７がインターネット等の公衆通信網３４、ルータ装置３３を介して受信し（ステップ９）、保存期間の長短に応じて無線モジュール３１の報知部４１を駆動する（ステップ１０）。
【００５１】
例えば、報知部４１のＬＥＤを保存期間の短いものは赤色点灯、短いものは黄色点灯等に色を変えて報知する。これにより、使用者は食品を重複して入庫すると、この重複入庫をサーバ装置３５が認識し報知部４１の報知内容が異なる形で表示されるので、この重複入庫を確実に知ることができる。また、食品の出し入れを行うために扉１０を開いたとき、食品属性が重複した食品、例えば肉が幾つか入庫されていると、それが冷蔵庫２２の収納室奥の暗い部分に収納されていてもこれを容易に知ることができ、しかもその発光色が重複食品の保存期間によって異なるので、その新旧在庫状態が一目でわかり、どちらの方を早く使った方がよいのかの判断も容易で、使い勝手が向上する。
【００５２】
そして、上記報知動作後に次の制御シーケンスへと移行し在庫管理の待機状態となる。
【００５３】
また、前記重複確認（ステップ５）の結果、重複なしの場合（ステップ５−Ｎ）はそのまま在庫管理の待機状態となる。
【００５４】
一方、使用者が食品を消費すべく冷蔵庫２２から食品を取り出した時は前記食品に付していた無線モジュール３１を食品から取り外すとともに期間特定釦３９を押してこれをオフする（ステップ１１−Ｙ）。これにより、無線モジュール３１から食品を消費して無くなったという情報が送信され（ステップ１２）、サーバ装置３５がこれを受信（ステップ１３）して在庫管理を解除する（ステップ１４）。
【００５５】
また、使用者が前記在庫管理の待機状態の段階で表示端末３６を操作し、在庫情報の取
得要求を行うと（ステップ１５−Ｙ）、この要求をインターネット等の公衆通信網３４を介してサーバ装置３５が受信し、在庫情報、例えば現在貯蔵していて管理対象となっている食品の食品属性（食品名）とその保存期間（入庫から現時点までの期間）を表示端末３６に送信する（ステップ１６）。そして、その食品の食品属性と保存期間が在庫情報として表示端末３６に表示される（ステップ１７）。したがって使用者は冷蔵庫内の食品の在庫状況を買い出し先でも知ることができ、無駄のない効率的な買い物ができるようになる。
【００５６】
（実施の形態２）
図７は実施の形態２における在庫管理システムを示す。この実施の形態２の在庫管理システムは、無線モジュール３１とサーバ装置３５との間の通信を中継する無線中継部４７を新たに設けてこれら両者間の通信を確実に行えるようにしたものである。
【００５７】
すなわち、前記実施の形態１で示した無線モジュール３１とサーバ装置３５はＷＩ−ＦＩ無線通信で行っている。このＷＩ−ＦＩ無線は金属板等によって遮断されやすい。そのため、実施の形態１では無線モジュール３１とサーバ装置３５との通信を行わせるためには食品を冷蔵庫内に収納して扉を閉める前の状態で期間特定釦３９を押すなどの操作を行ってサーバ装置３５と通信を完了させる必要がある。
【００５８】
そこでこの実施の形態２では無線モジュール３１の無線通信部３７は通信相手との間に金属板等が介在していても良好な通信ができる例えば特定小電力無線周波数帯（９２４．０〜９２８．０ＭＨｚ）の無線を用いた通信方式としてある。そしてこの無線モジュール３１の無線通信部３７と通信するとともに、前記インターネット等の公衆通信網３４とも通信可能な無線中継部４７を別途新設して在庫システムを構築してある。
【００５９】
無線中継部４７は、無線モジュール３１と通信する第１無線通信方式と、サーバ装置３５と無線通信する第２無線通信方式の二種類の無線通信方式を有し、第１通信方式は前述した如く無線モジュール３１との間に金属板等が介在していても良好な通信ができる例えば特定小電力無線周波数帯（９２４．０〜９２８．０ＭＨｚ）の無線を用いた通信方式としてあり、第２無線通信方式は距離があっても良好な無線通信ができる周波数の高い電波を用いたＷＩ−ＦＩ無線通信等の無線通信方式としてある。
【００６０】
なお、この無線中継部４７は冷蔵庫２２に設けられ、例えば冷蔵庫外装板を構成する金属外装板の継ぎ目部分が存在する扉１０や冷蔵庫本体１の端部付近であって、扉１０や冷蔵庫本体１の断熱材中に埋設してある真空断熱材４ａと対向しない位置に設けてある。
【００６１】
これによって、無線モジュール３１が食品とともに冷蔵庫内に収納され扉を閉められてその無線通信部３７が冷蔵庫本体１及び扉１０を構成する金属製の外装板で囲まれる形となっても、無線モジュール３１の無線通信部３７とサーバ装置３５との通信は、無線中継部４７に中継させて確実に行うことができる。
【００６２】
したがって、この実施の形態２によれば食品を冷蔵庫内に収納して扉を閉める前に無線モジュール３１とサーバ装置３５との通信を行わせる等の気遣いをする必要もなく、さらに使い勝手の良いものとすることができる。
【００６３】
また、前記無線中継部４７は冷蔵庫外装板を構成する金属外装板の継ぎ目部分が存在する扉１０や冷蔵庫本体１の端部付近であって、扉１０や冷蔵庫本体１の断熱材中に埋設してある真空断熱材４ａと対向しない位置に取り付けてあるから、無線モジュール３１との通信を良好なものとすることができ、通信の信頼性を向上させることができる。すなわち、金属外装板の継ぎ目部分は無線電波が通りやすくなっているから、より高い精度で通信
を確立することが可能となるのである。また真空断熱材４ａはその外被材が金属フィルム等で構成されていることが多いが、このような真空断熱材４ａであってもこれと対向していないので無線電波が通りやすく、より高い精度で通信を確立できるのである。
【００６４】
その他の構成及び作用効果は実施の形態１と同様であり、同一部分には同一番号を付記してその説明は省略する。
【００６５】
（実施の形態３）
図８は実施の形態３に置ける在庫管理システムを示す。この実施の形態３の在庫管理システムは実施の形態２で示す報知部４１での報知を扉開閉に連動させて行わせるようにしたものである。
【００６６】
図８において、冷蔵庫２２の冷蔵庫制御部４８は扉開閉検出部１５が扉開閉を検出するとこれを無線中継部４７に無線送信する構成としてある。
【００６７】
これにより、食品の出し入れ時に行われることになる扉開閉があると、これを扉開閉検出部１５が検出して冷蔵庫制御部４８が無線中継部４７に送信し、無線中継部４７がサーバ装置３５に扉開閉があったことを送信する。これに基づきサーバ装置３５は無線モジュール３１に報知信号を送信し、報知部４１がこれを報知する。これにより食品の重複報知は使用者が扉を開いたときのみとすることができ、電源部３８の消耗を低減することができる。
【００６８】
以上、本発明に係る冷蔵庫の在庫管理システムについて、上記実施の形態を用いて説明したが、本発明は、これに限定されるものではない。すなわち、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【００６９】
本発明は、上記各実施の形態の説明から明らかなように、食品属性を付した複数の無線モジュールを準備すればよいので安価に在庫管理システムを構築できるとともに、食品属性等の食品情報の入力も簡単かつ間違いなく行うことができるので、使い勝手の良い在庫管理システムとすることができ、家庭用の冷蔵庫をはじめとして各種の冷蔵庫、ショーケース等に適用可能である。
【符号の説明】
【００７０】
１  冷蔵庫本体
４  断熱材
５  冷蔵室（収納室）
６  切替室
７  製氷室
８  冷凍室
９  野菜室
１０  扉（断熱扉）
１５  扉開閉検出部
２２  冷蔵庫
３０  在庫管理システム
３１  無線モジュール
３２  無線中継部
３３  ルータ装置
３４  公衆通信網
３５  サーバ装置
３６  表示端末
３６ａ  ディスプレイ
３７  無線通信部
３８  電源部
３９  期間特定釦
４０  属性特定部
４１  報知部
４４  サーバ用インターフェイス
４５  サーバ制御部
４６  データ記憶部
４７  無線中継部
４８  冷蔵庫制御部
【図１】
2015069301.tif 000003
【図２】
2015069301.tif 000004
【図３】
2015069301.tif 000005
【図４】
2015069301.tif 000006
【図５】
2015069301.tif 000007
【図６】
2015069301.tif 000008
【図７】
2015069301.tif 000009
【図８】
2015069301.tif 000010